(57)【要約】      （修正有）【課題】周囲の金属板による電波・電磁波の送受信強度への影響を排除した男子看板および掲示装置を提供する。【解決手段】電子看板および掲示装置の液晶パネルおよびＬＥＤパネルと背面板の距離が３ミリ以上であれば、液晶パネルおよびＬＥＤパネル裏面にアンテナコイルを配設し、アンテナコイルと相対位置になるようにＲＦＩＤ用磁性シートを背面板側へ積層配置して受信強度を高める構造を持つ電子看板および掲示装置。【選択図】図−１
0003144340.tif 000002
【実用新案登録請求の範囲】
【請求項１】
電子看板および掲示装置にＲＦＩＤ用リーダ・ライタおよびＲＦＩＤタグを内蔵し、ＲＦＩＤタグ付き携帯端末機と電波・電磁波による送受信を行うＲＦＩＤタグやＲＦＩＤ用リーダ・ライタなどにおいて、アンテナコイルと導電層との間に積層配置してＲＦＩＤ用磁性シートを具備し受信強度を高める構造を持つ電子看板および掲示装置。
【請求項２】
前記電子看板および掲示装置の液晶パネルおよびＬＥＤ・ＥＬパネルと背面板の距離が３ミリ以上であれば、液晶パネルおよびＬＥＤパネル裏面にアンテナコイルを配設し、アンテナコイルと相対位置になるようにＲＦＩＤ用磁性シートを背面板側へ積層配置して受信強度を高める構造を持つ請求項１記載の電子看板および掲示装置。
【考案の詳細な説明】
【技術分野】
【０００１】  本考案は、１３．５６ＭＨｚのＲＦＩＤ（Ｒａｄｉｏ  Ｆｒｅｑｕｅｎｃｙ  Ｉｄｅｎｔｉｆｉｃａｔｉｏｎ＝無線通信による個体識別技術）によって電波・電磁波の送受信を行うＲＦＩＤタグやＲＦＩＤ用リーダ・ライタなどのアンテナコイルと導電層との間に積層可能なＲＦＩＤ用磁性シートを具備した電子看板および掲示装置の構造に関する。
【背景技術】
【０００２】  近年、ＲＦＩＤによって電波・電磁波の送受信を行うＲＦＩＤタグのアンテナ送受信部は携帯端末機にも装着されるようになった。そこで、アンテナ送受信部を、アンテナコイル、磁性シート、金属板の順に積層された構造とすることが提案されている。【０００３】  １３．５６ＭＨｚのＲＦＩＤタグ付き携帯端末機の場合、アンテナコイルの周辺に何らかの金属板が存在すると、ＲＦＩＤによる電波・電磁波の送受信強度が影響を受ける。そこで、上記のようにアンテナコイルに予め金属板などの導電層を積層配置することで、周囲の金属板の影響を排除することができる。また、このように導電層を設けると、その導電層が電波・電磁波を渦電流として消費するため受信強度が低下するが、アンテナと導電層との間に磁性シートを配設することにより、受信強度を高めることができる。
【考案の開示】
【考案が解決しようとする課題】
【０００４】  背景技術に示すように１３．５６ＭＨｚのＲＦＩＤタグ付き携帯端末機の使用に関しては、いくつもの記載があるが、電子看板の液晶パネルおよびＥＬシートと背面板の中間、エッジライト方式の導光板およびＥＬシートの背面板との中間に制御用基盤とアンテナを含むリーダライタを配し前記アンテナと背面板間に磁性シートを配設した電子看板および掲示装置に関して詳細な記述がない。【０００５】  ＲＦＩＤタグを内蔵した携帯型情報端末およびカードを利用し、電子看板および掲示装置上に任意のアクセスポイント（ＲＦＩＤタグとリーダライタ間で送受信用アンテナ）設け、携帯型情報端末等を軽くタッチして電子看板および掲示装置背面に取り付けられたリーダライタと、ＲＦＩＤタグ間で情報の読み出しまたは書き込みを非接触で通信をおこない、携帯型情報端末等がリーダライタからＩＤ（ＵＲＬ）を受け取り、該ＩＤを基に所定のデジタルコンテンツへ接続し情報の読み出しまたは書き込みをスムースにおこなうには、携帯型情報端末等に内蔵されたＲＦＩＤタグと、電子看板および掲示装置に配設された携帯型情報端末等と電波・電磁波の送受信を行うアンテナ出力の電波・電磁波が液晶パネルやＬＥＤ導光板に遮られ出力が低下し、携帯型情報端末等と電子看板および掲示装置内に配設されたリーダライタの受送信が不安定になる。【０００６】  また、電子看板および掲示装置を置いたり掲示したりする場所の壁裏には建築用鉄筋および保護金属板などがある場所が多々ある。この様な金属は電波・電磁波を吸収しアンテナ出力を低下させる要因となる。【０００７】  しかしながら、電子看板および掲示装置は通行人の目に引く場所が選ばれ金属をさけて置いたり掲示したりすることは不可能である。
【課題を解決するための手段】
【０００９】  電子看板および掲示装置の場合、アンテナコイルの周辺に何らかの金属板が存在すると、ＲＦＩＤによる電波・電磁波の送受信強度が影響を受ける。そこで、上記のようにアンテナコイルに予め金属板などの導電層を積層配置することで、周囲の金属板の影響を排除することができる。また、このように導電層を設けると、その導電層が電波・電磁波を渦電流として消費するため受信強度が低下するが、アンテナと導電層との間に磁性シートを配設することにより、受信強度を高めることができる。【０００９】  磁性シートは、フェライト磁性粉末または金属磁性粉末を樹脂からなる基材に充填してシート状に成形したものおよび磁性吸収体等であれば材質は問わない。
【考案の効果】
【０００１０】  本考案によれば、電子看板および掲示装置の広告物および掲示物の情報に興味を持った利用者がＲＦＩＤタグ付き携帯端末機を操作し電子看板および掲示装置の表面に軽くタッチして情報を引き出し利用する。この様な利用環境化において、電子看板および掲示装置を配置する壁面環境（金属等を含んだ壁面）に左右されず配置でき、通行人等に対しインパクトある動画、映像、ポスター、サインなど媒体に対し、ＲＦＩＤタグ付き携帯端末機を所定位置にかざすだけで確実にデジタルコンテンツを活用してのサービスを利用などができるなど多くの効果がある。
【考案を実施するための最良の形態】
【０００１１】以下、本考案の実施例の形態を添付図を参照して説明する。
【実施例１】
【０００１２】  図−１は、ＬＥＤエッジライト方式パネルの断面例図である。パネル組み立て状態でアンテナ１と背面板４の距離Ａ−１が３ミリ以上の場合は、アンテナ１と相対するように磁性シート２を背面板側に配設することにより、１３．５６ＭＨｚのＲＦＩＤタグ付き携帯端末機の受信強度を高めることができる。【０００１３】  図−２は、ＬＥＤエッジライト方式パネルの断面例図である。パネル組み立て状態でアンテナ１と背面板４の距離Ａ−２が３ミリ以内上の場合は、アンテナ１裏面に磁性シート２を直接貼り付けることで受信を比較的高めることができるが、パネル組み立て状態でアンテナ１と背面板４の距離３ミリ以上になるようにパネル設計することが好ましい。【０００１４】  図−１および図−２は、ＬＥＤエッジライト方式パネルの断面例図であるが、導光板６を液晶パネルに変える場合であっても導光板６に配設したアンテナ１と背面板４の距離３ミリ以上を保持することが好ましく磁性シートを背面板４にアンテナ１と相対になるように配設できる設計することが好ましい。
【図面の簡単な説明】
【０００１８】
【図−１】ＬＥＤエッジライト方式パネル組み立て状態でアンテナ１と背面板４の距離３ミリ以上の断面例図である。（３ミリ以上の場合は磁性シート２が背面板４に配設されてる使用例である）
【図−２】ＬＥＤエッジライト方式パネル組み立て状態でアンテナ１と背面板４の距離３ミリ以内の断面例図である。（３ミリ以内の場合は磁性シート２アンテナ１に配設されてる使用例である）
【図−３】ＬＥＤエッジライト方式パネル内部の相関斜視図である。
【符号の説明】
【０００２２】［図−１］  １．アンテナ、２．磁性シート、３．制御基盤、４．背面板、５．導光板の反射板、６．導光板、７．ＬＥＤライト、８．保護板、Ａ−１アンテナ１と背面板４の距離３ミリ以上［図−２］  １．アンテナ、２．磁性シート、３．制御基盤、４．背面板、５．導光板の反射板、６．導光板、７．ＬＥＤライト、８．保護板、Ａ−１アンテナ１と背面板４の距離３ミリ以内［図−３］  １．アンテナ、２．磁性シート、３．制御基盤、４．背面板、５．導光板の反射板、６．導光板、７．ＬＥＤライト、７−１、ＬＥＤライトかばー、８．保護板
【図−１】
0003144340.tif 000003
【図−２】
0003144340.tif 000004
【図−３】
0003144340.tif 000005